(57)【特許請求の範囲】
【請求項１】
体腔内の観察部位の画像を得る内視鏡装置から前記観察部位の画像とこの画像の検索が可能な検索情報とを受信し、受信した前記画像と検索情報とを記録するための第１の記録手段を有する画像ファイル装置と、前記画像ファイル装置に着脱自在に接続され第２の記録手段を有する可搬型記録装置を備えた内視鏡画像ファイルシステムにおける画像情報検索方法において、
前記画像ファイル装置が、前記内視鏡装置で入力された前記検索情報を受信して前記第１の記録手段に記録し、受信した該検索情報を出力する検索情報出力ステップと、
前記可搬型記録装置が、前記検索情報出力ステップで出力された前記検索情報を入力し、入力した該検索情報を前記第２の記録手段に記録する検索情報記録ステップと、
前記画像ファイル装置が、前記内視鏡装置のレリーズ信号に応答して、前記内視鏡装置で得られた画像を受信して前記第１の記録手段に記録し、受信した該画像を出力する原画像出力ステップと、
前記可搬型記録装置が、前記原画像出力ステップで出力された前記画像を入力し、入力した該画像を前記第２の記録手段に記録する画像記録ステップと、
前記可搬型記録装置が、前記検索情報記録ステップで記録された前記検索情報を該可搬型記録装置に設けられた表示手段に表示する表示ステップと、
前記可搬型記録装置が、前記表示ステップで前記表示手段に表示された前記検索情報の中から検索情報の選択入力を受け付ける検索情報選択ステップと、
前記可搬型記録装置が、前記検索情報選択ステップで選択された検索情報に対応する原画像を、前記第２の記録手段から読み出して前記表示手段に表示する原画像表示ステップと、
を備えたことを特徴とする内視鏡画像ファイルシステムにおける画像情報検索方法。
【請求項２】
体腔内の観察部位の画像を得る内視鏡装置から前記観察部位の画像とこの画像の検索が可能な検索情報とを受信し、受信した前記画像と検索情報とを記録するための第１の記録手段を有する画像ファイル装置と、前記画像ファイル装置に着脱自在に接続され第２の記録手段を有する可搬型記録装置を備えた内視鏡画像ファイルシステムにおける画像情報検索方法において、
前記画像ファイル装置が、前記内視鏡装置で入力された前記検索情報を受信して前記第１の記録手段に記録し、受信した該検索情報を出力する検索情報出力ステップと、
前記可搬型記録装置が、前記検索情報出力ステップで出力された前記検索情報を入力し、入力した該検索情報を前記第２の記録手段に記録する検索情報記録ステップと、
前記画像ファイル装置が、前記内視鏡装置のレリーズ信号に応答して、前記内視鏡装置で得られた画像を受信して前記第１の記録手段に記録し、受信した該画像を出力する原画像出力ステップと、
前記可搬型記録装置が、前記原画像出力ステップで出力された前記画像を入力し、入力した該画像を前記第２の記録手段に記録する画像記録ステップと、
前記画像ファイル装置が、前記内視鏡装置で得られた画像を縮小する画像縮小ステップと、
前記画像ファイル装置が、前記画像縮小ステップで得られた縮小画像を出力する縮小画像出力ステップと、
前記可搬型記録装置が、前記縮小画像出力ステップで出力された前記縮小画像を入力し、入力した該縮小画像を前記第２の記録手段に記録する縮小画像記録ステップと、
前記可搬型記録装置が、前記検索情報記録ステップで記録された前記検索情報を該可搬型記録装置に設けられた表示手段に表示する表示ステップと、
前記可搬型記録装置が、前記表示ステップで前記表示手段に表示された前記検索情報の中から検索情報の選択入力を受け付ける検索情報選択ステップと、
前記可搬型記録装置が、前記検索情報選択ステップで選択された検索情報に対応する縮小画像を、前記第２の記録手段から読み出して前記表示手段に表示する縮小画像表示ステップと、
前記可搬型記録装置が、前記縮小画像表示ステップで表示された前記縮小画像を指定する入力を受け付け、対応する原画像を前記表示手段に表示する原画像表示ステップと、
を備えたことを特徴とする内視鏡画像ファイルシステムにおける画像情報検索方法。
【発明の詳細な説明】
【０００１】
【産業上の利用分野】
本発明は可搬型記録装置を用いて構成した内視鏡画像ファイルシステムに関する。
【０００２】
【従来の技術】
従来、内視鏡画像を複数の場所で記録し、また複数の場所で再生表示する為の画像ファイルシステムとして、本出願人は特開平４−９８７号に記述したような「オフライン型画像ファイルシステム」を提案した。
【０００３】
図１７に示すようにこの画像ファイルシステム９１は、病院等にあるサテライトルーム、例えば内視鏡検査サテライトルーム９２Ａ、Ｘ線サテライトルーム９２Ｂ、手術サテライトルーム９２Ｃにそれぞれ存在するディジタル画像ファイル装置９３ａで内視鏡画像がその検索情報と共に記録される光磁気ディスク９４と、カンファレンスルーム９２Ｄに設けられたディジタル画像ファイル装置９３ｂで読影される光磁気ディスク（以下、ＭＯと略記）９４を集中管理メインルーム９５で一括管理ないしは集中管理する構成にしている。
【０００４】
各サテライトルーム９２Ｉ（Ｉ＝Ａ，Ｂ，Ｃ）で、ＭＯ９４に（内視鏡）画像情報と患者情報等の検索情報とが記録され、このＭＯ９４は病院内の各所に存在するサテライトルーム９２Ｉ及びカンファレンスルーム９２Ｄ及び集中管理メインルーム９５へ運搬することによって再生（読影）できる。この集中管理メインルーム９５は、ディジタル画像ファイル装置９３ｃとアナログ画像ファイル装置９７とを有している。
【０００５】
各サテライトルーム９２Ｉに設けられたディジタル画像ファイル装置９３ａ、カンファレンスルーム９２Ｄに設けられたディジタル画像ファイル装置９３ｂは図１８のような構成である。
【０００６】
この図には示してない電子内視鏡（ビデオスコープ）等の内視鏡から出力される内視鏡撮影信号はビデオプロセッサ１１１に入力され、映像信号にに変換され、ＴＶモニタ１１２と、サテライトルーム９２Ｉのディジタル画像ファイル装置９３ａに入力される。
【０００７】
このディジタル画像ファイル装置９３ａは、ビデオプロセッサ１１１のアナログＲ，Ｇ，Ｂビデオ信号をディジタル信号である内視鏡画像データへ変換するＡ／Ｄコンバータ１１３と、メモリ１１５及びＳＣＳＩコントローラ１１６を制御するコントローラ１１４と、前記Ａ／Ｄコンバータ１１３による前述した内視鏡画像データを前記コントローラ１１４の制御により記憶するメモリ１１５と、前記コントローラ１１４の制御により、前記メモリ１１５に記憶された内視鏡画像データを後述する光磁気ディスクドライブ１１７へ送出するＳＣＳＩ（Small Computer Systems Interface）コントローラ１１６と、このＳＣＳＩコントローラ１１６から入力された前記メモリ１１５の内視鏡画像データを比較的容量の大きい記憶媒体であるＭＯ９４へ記録する光磁気ディスクドライブ１１７とから構成される。
【０００８】
前記コントローラ１１４は、前記メモリ１１５に記憶された内視鏡画像データに対して画像圧縮処理等の各種データ処理を施し、前記メモリ１１５へ一旦記憶させ或いはＳＣＳＩコントローラ１１６へ出力するようになっている。前記コントローラ１１４は、前述したように各種データ処理を施された内視鏡画像データをメモリ１１５へ一旦記憶した場合、該内視鏡画像データを所定のタイミングにより前記メモリ１１５から前記ＳＣＳＩコントローラ１１６へ出力するようになっている。
【０００９】
前記ＳＣＳＩコントローラ１１６は、前記メモリ１１５からの内視鏡画像データ等を前記光磁気ディスクドライブ１１７へ出力し、該光磁気ディスクドライブ１１７は、この内視鏡画像データ等をＭＯ９４へ記録するようになっている。尚、ビデオプロセッサ１１１には、ＭＯ９４に画像情報を記録する際、患者情報等を同時に記録する際に用いられるデータ入力手段として、図示しないキーボードが設けてある。そして、画像検索のデータ入力にも利用される。
【００１０】
又、カンファレンスルーム９２Ｄに設けられたディジタル画像ファイル装置９３ｂは、各種構成機器を制御するマイクロプロセッサ（以下、ＣＰＵと称する）１２１と、前記光磁気ディスクドライブ４から内視鏡画像データを再生すると共に、この内視鏡画像データに併せて各種の情報を記録する光磁気ディスクドライブ１２３と、この光磁気ディスクドライブ１２３を制御するＳＣＳＩコントローラ１２２と、モニタ画面上のカーソル座標を任意の位置に移動させる指示を与えるマウス１２５と、このマウス１２５の信号と前記ＣＰＵ１２１の信号との整合をとるマウスインタフェース（以下、マウスＩ／Ｆと称する）１２４と、例えば前記ＭＯ９４へ記録する各種の情報を入力するキーボード１２７と、このキーボード１２７の信号と前記ＣＰＵ１２１の信号との整合をとるキーボードＩ／Ｆ１２６と、実行プログラム及びメニュー画面の画像データ等の各種データが記録されるハードディスク１２９と、このハードディスク１２９の信号と前記ＣＰＵ１２１の信号との整合をとるハードディスクＩ／Ｆ１２８と、前記ＣＰＵ１２１の各種処理作業領域として用いられるメモリ１３０と、表示用ディジタルＲ，Ｇ，Ｂビデオ信号を記憶する画像用メモリ１３１と、前記画像用メモリ１３１のディジタル信号である画像データを逆量子化処理し、アナログＲ，Ｇ，Ｂビデオ信号へ変換するＤ／Ａコンバータ１３２とからなり、このＤ／Ａコンバータ１３２により変換されたアナログＲ，Ｇ，Ｂビデオ信号を映しだすＴＶモニタ１３３で再生されるようになっている。
【００１１】
前記ＣＰＵ１２１の制御信号端及びデータ信号端は、バスライン１２１ａにより前記ＳＣＳＩコントローラ１２２、前記マウスＩ／Ｆ１２４、前記キーボードＩ／Ｆ１２６、前記ハードディスクＩ／Ｆ１２８、前記メモリ１３０、及び前記画像用メモリ１３１の制御信号端及びデータ信号端に接続されている。
【００１２】
前記ＣＰＵ１２１は、前記バスライン１２１ａにより前記ＳＣＳＩコントローラ１２２、前記マウスＩ／Ｆ１２４、前記キーボードＩ／Ｆ１２６、前記ハードディスクＩ／Ｆ１２８、前記メモリ１３０、及び前記画像用メモリ１３１を制御するようになっている。
【００１３】
前記ＳＣＳＩコントローラ１２２は、前記ＭＯ９４を制御して、前記サテライトルーム９２Ｉで記録された前述した内視鏡画像データを読み出し、画像用メモリ１３１、Ｄ／Ａコンバータ１３２を介してＴＶモニタ１３３に内視鏡画像を表示する。
【００１４】
上記ＭＯ９４に画像が圧縮して記録された場合には、再生時に復元処理してモニタ画面に表示するようにしてある。
【００１５】
このように、各サテライトルーム（９２Ａ，９２Ｂ，９２Ｃ）で患者情報及び検査の画像を記録した光磁気ディスク９４（以下ＭＯと略記）は、システム管理者などによって運搬され集中管理システム９５に集結される。また、各ＭＯ９４は、必要に応じて集中管理システム９５から搬出運搬され、カンファレンスルーム９２Ｄに設置されたデジタル画像ファイル装置９３ｂにて再生表示される。
【００１６】
しかし、上記システムにおいては、ＭＯ９４内に記録された患者情報または画像情報を知る為には、ＭＯ９４を集中管理メインルーム９５に設置されたデジタル画像ファイル装置９３ｃまたはカンファレンスルーム９２Ｄに設置されたデジタル画像ファイル装置９３ｂのＭＯドライブ装置（１２３等）に挿入し、ＣＰＵ１２１等により検索表示する必要があった。
【００１７】
上記操作は記録済のＭＯ９４の枚数が増大するに従って繁雑な作業となる可能性があった。
【００１８】
本発明は、上述した点にかんがみてなされたもので、ＭＯ等の記録媒体内に記録された患者情報または画像情報を、その記録媒体を各ルームに設置されたデジタル画像ファイル装置に挿入することなく、手軽に検索することを可能とする内視鏡画像ファイルシステムを提供することを目的とする。
【００１９】
【課題を解決するための手段】
本発明による内視鏡画像ファイルシステムにおける画像情報検索方法は、体腔内の観察部位の画像を得る内視鏡装置から前記観察部位の画像とこの画像の検索が可能な検索情報とを受信し、受信した前記画像と検索情報とを記録するための第１の記録手段を有する画像ファイル装置と、前記画像ファイル装置に着脱自在に接続され第２の記録手段を有する可搬型記録装置を備えた内視鏡画像ファイルシステムにおける画像情報検索方法において、  前記画像ファイル装置が、前記内視鏡装置で入力された前記検索情報を受信して前記第１の記録手段に記録し、受信した該検索情報を出力する検索情報出力ステップと、前記可搬型記録装置が、前記検索情報出力ステップで出力された前記検索情報を入力し、入力した該検索情報を前記第２の記録手段に記録する検索情報記録ステップと、前記画像ファイル装置が、前記内視鏡装置のレリーズ信号に応答して、前記内視鏡装置で得られた画像を受信して前記第１の記録手段に記録し、受信した該画像を出力する原画像出力ステップと、前記可搬型記録装置が、前記原画像出力ステップで出力された前記画像を入力し、入力した該画像を前記第２の記録手段に記録する画像記録ステップと、前記可搬型記録装置が、前記検索情報記録ステップで記録された前記検索情報を該可搬型記録装置に設けられた表示手段に表示する表示ステップと、前記可搬型記録装置が、前記表示ステップで前記表示手段に表示された前記検索情報の中から検索情報の選択入力を受け付ける検索情報選択ステップと、前記可搬型記録装置が、前記検索情報選択ステップで選択された検索情報に対応する原画像を、前記第２の記録手段から読み出して前記表示手段に表示する原画像表示ステップと、を備えたことを特徴とする。
また、本発明による内視鏡画像ファイリングシステムにおける画像情報検索方法は、体腔内の観察部位の画像を得る内視鏡装置から前記観察部位の画像とこの画像の検索が可能な検索情報とを受信し、受信した前記画像と検索情報とを記録するための第１の記録手段を有する画像ファイル装置と、前記画像ファイル装置に着脱自在に接続され第２の記録手段を有する可搬型記録装置を備えた内視鏡画像ファイルシステムにおける画像情報検索方法において、前記画像ファイル装置が、前記内視鏡装置で入力された前記検索情報を受信して前記第１の記録手段に記録し、受信した該検索情報を出力する検索情報出力ステップと、前記可搬型記録装置が、前記検索情報出力ステップで出力された前記検索情報を入力し、入力した該検索情報を前記第２の記録手段に記録する検索情報記録ステップと、前記画像ファイル装置が、前記内視鏡装置のレリーズ信号に応答して、前記内視鏡装置で得られた画像を受信して前記第１の記録手段に記録し、受信した該画像を出力する原画像出力ステップと、前記可搬型記録装置が、前記原画像出力ステップで出力された前記画像を入力し、入力した該画像を前記第２の記録手段に記録する画像記録ステップと、前記画像ファイル装置が、前記内視鏡装置で得られた画像を縮小する画像縮小ステップと、前記画像ファイル装置が、前記画像縮小ステップで得られた縮小画像を出力する縮小画像出力ステップと、前記可搬型記録装置が、前記縮小画像出力ステップで出力された前記縮小画像を入力し、入力した該縮小画像を前記第２の記録手段に記録する縮小画像記録ステップと、前記可搬型記録装置が、前記検索情報記録ステップで記録された前記検索情報を該可搬型記録装置に設けられた表示手段に表示する表示ステップと、前記可搬型記録装置が、前記表示ステップで前記表示手段に表示された前記検索情報の中から検索情報の選択入力を受け付ける検索情報選択ステップと、前記可搬型記録装置が、前記検索情報選択ステップで選択された検索情報に対応する縮小画像を、前記第２の記録手段から読み出して前記表示手段に表示する縮小画像表示ステップと、前記可搬型記録装置が、前記縮小画像表示ステップで表示された前記縮小画像を指定する入力を受け付け、対応する原画像を前記表示手段に表示する原画像表示ステップと、を備えたことを特徴とする。
【００２０】
【実施例】
以下、図面を参照して本発明の実施例を説明する。
図１に示す１実施例の内視鏡画像ファイルシステム１は、内視鏡検査を行う内視鏡装置２と、この内視鏡装置２の画像を記録等する画像記録ドライブ装置３と、この画像記録ドライブ装置３に接続されることにより画像データの記録が可能であり、かつ画像記録ドライブ装置３に接続されない状態でも、可搬型記録媒体に記録された画像情報を検索する手段と、検索された画像情報等を表示する機能を備え、可搬することのできる可搬型記録再生装置４とから構成される。
【００２１】
図２に示すように内視鏡装置２は可撓性で細長に形成され、観察部位６に挿入される挿入部７と、この挿入部７の後端部に連設された操作部８と、この操作部８の側部より延出したユニバーサルケーブル９とを有する電子内視鏡（電子スコープとも記す）１０を有している。
【００２２】
前記ユニバーサルケーブル９の後端部にはコネクタ１１が設けられており、このコネクタ１１は電子スコープ１０に照明光を供給する光源装置１２に接続されている。このコネクタ１１の側部から信号ケーブル１３が延出しており、この信号ケーブル１３の後端部に設けられたコネクタ１４はビデオプロセッサ１６に接続されている。このビデオプロセッサ１６は電子スコープ１０によって得られた画像信号を信号処理して例えばＲＧＢ３原色信号等のビデオ信号を生成してケーブルを経てＴＶモニタ１８で内視鏡画像が観察できるようになっている。
【００２３】
前記ビデオプロセッサ１６で生成されたビデオ信号はケーブルを経て前記画像記録ドライブ装置３にも送出されるようになっている。
【００２４】
前記電子スコープ１０の挿入部７の先端部には光源装置１２より供給された照明光を観察部位６に出射するファイババンドルによって形成されたライトガイド２２の出射端面が設けられている。このライトガイド２２は挿入部７と操作部８とユニバーサルケーブル９内とを経てコネクタ１１を光源装置１２に接続すると同時に照明光を供給されるようになっている。
【００２５】
前記挿入部７の先端部には更に、対物レンズ２３が設けられており、この対物レンズ２３の結像位置には固体撮像素子としてのＣＣＤ２４の撮像面が位置するようになっている。このＣＣＤ２４には撮像面に結像した被写体像を光電変換した結果得られる電気信号と、このＣＣＤ２４を駆動する駆動クロックが伝送される信号線２６（１本で示してある）が接続されている。この信号線２６は挿入部７と操作部８とユニバーサルケーブル９とを経てコネクタ１１に至り、更に、コネクタ１１から信号ケーブル１３を経てコネクタ１４に延長されている。
【００２６】
前記光源装置１２には光源ランプ３１が設けられており、この光源ランプ３１と前記ライトガイド２２の入射端面とを結ぶ光路上には光源ランプ３１側より光源ランプ３１の照明光を平行光とするコリメータレンズ３２と回転フィルタ３３と照明光を集光してライトガイド２２の入射端面に照射する集光レンズ３４とが設けられている。
【００２７】
前記回転フィルタ３３は円盤状で周方向に例えば赤（Ｒ）、緑（Ｇ）、青（Ｂ）の各色光を透過する色透過フィルタ３４Ｒ，３４Ｇ，３４Ｂが設けられており、この各色透過フィルタ３４Ｒ，３４Ｇ，３４Ｂを前記コリメータレンズ３２によって平行光とされた照明光が入射するようになっている。この回転フィルタ３３はモータ３５によって回転駆動されて、赤、緑、青の各色光を時系列的にライトガイド２２に供給するようになっている。
【００２８】
前記コネクタ１４をビデオプロセッサ１６に接続することにより信号線２６はビデオプロセッサ１６内に設けられた画像プロセス部３６に接続されるようになっている。この画像プロセス部３６は駆動クロックを印加してＣＣＤ２４を駆動し、該ＣＣＤ２４から送出される電気信号をＲＧＢビデオ信号に変換して出力するようになっている。
【００２９】
また、画像信号レベルＲ，Ｇ，Ｂ信号のバランス等の制御を行なうようになっている。更に、後述する制御部３７から送られて来る患者データ、エラーメッセージ等をＲＧＢビデオ信号に重畳するようになっている。画像プロセス部３６の出力は画像メモリ３８に送出されるようになっている。
【００３０】
この画像メモリ３８は入力されるＲＧＢビデオ信号を制御部３７からの制御信号に応じてそのまま通過させるか、一時保存して静止画として繰返し出力するようになっている。画像メモリ３８の出力は分岐されて一方はＴＶモニタ１８に出力され、画面上に観察部位６の画像を表示するようになっている。又、他方は前記画像記録ドライブ装置３に送出される。
【００３１】
前記制御部３７は例えばキーボード等のデータ入力部３９及び通信インターフェース４０とに接続されている。データ入力部３９から入力された患者名、患者ＩＤなどの検索情報は制御部３７を介して、画像メモリ３８を用いてＲＧＢＴＶ信号にスーパーインポーズされると共に、通信号インターフェース４０を介して画像記録ドライブ装置３へと送信される。
【００３２】
又、制御信号は上記したように画像メモリ３８と通信インターフェース４０とに送出される。この通信インターフェース４０は例えばＲＳ−２３２Ｃ規格によるシリアル伝送のインターフェース部で制御部３７からの制御により外部とデータ及び制御信号の入出力を行なう。通信インターフェース４０は画像記録ドライブ装置３との間でデータ及び制御信号の入出力を行なうようになっている。また、電子内視鏡１０の操作部８に設けられたレリーズＳＷ４１に連動し、レリーズコマンドも通信インターフェース４０を介して画像記録ドライブ装置３へと送信される。
【００３３】
画像記録ドライブ装置３は図１８の従来例のデジタル画像ファイル装置９３ａに対応するものである。また、可搬型記録再生装置４は図１７のＭＯ９４に相当することになる。
【００３４】
図１に示すように画像記録ドライブ装置３は、以下の回路から構成される。すなわち、ビデオプロセッサ１６から受信したＲＧＢＴＶ信号をデジタル信号に変換するＡ／Ｄコンバータ４４と、ビデオプロセッサ１６から送信される患者名などの患者情報及びレリーズコマンドを受信し、画像記録ドライブ装置３全体を制御するＣＰＵ４５と、このＣＰＵ４５と画像バスで接続され、レリーズコマンド受信に連動して画像を記憶するための画像メモリ４６と、後述する縮少画像を合成し１枚の画像を作成する為の縮少画像記録メモリ４７と、受信した患者名及び画像メモリ４６に記憶した画像及び縮少画像記録メモリ４７に記憶した縮少画像を、可搬型記録再生装置４へ送信する為の出力回路４８と、上記検索情報、原画像、縮少画像をＤＡＴ４９に記録する為のＤＡＴドライブ装置５０と、原画像をアナログ信号に変換する為のＤ／Ａコンバータ５１と、Ｄ／Ａコンバータ５１によりアナログに変換されたＲＧＢＴＶ信号を第１光ディスク５２ａまたは第２光ディスク５２ｂへ記録する為の第１アナログ光ディスクドライブ装置５３ａ及び第２アナログ光ディスクドライブ装置５３ｂとから構成される。
【００３５】
第１光ディスク５２ａと第２光ディスク５２ｂは通常は一方が選択されて使用され、その媒体の記録容量が少なくなり、引き続いて記録が行われる場合等に他方の媒体側が選択され、媒体の交換作業を殆ど必要とすることなく記録を行うことができる。
【００３６】
また、可搬型記録再生装置４の構成は以下のようである。
画像記録ドライブ装置３の出力回路４８を介して出力される原画像及び縮少画像を記憶する画像メモリ５６と、出力回路４８を介して出力された患者情報及びレリーズコマンドを受信し可搬型記録再生装置４全体を制御する為のＣＰＵ５７と、原画像及び縮少画像をＭＯ５８に記録する為のＳＣＳエコントローラ５９と、ＭＯドライバ６０と、患者名等の検索する為の情報を記憶する為のメモリ６１と、検索に必要な情報を表示する為の表示回路６２と、検索操作を行う為の指示入力ＳＷ６３より構成される。
【００３７】
この可搬型記録再生装置４は内部に可搬型記録媒体としてのＭＯ５８を内蔵し、画像記録ドライブ装置３に接続されない状態で、ＭＯ５８に記録された情報を検索し、表示することができる機能を有し、かつ可搬できるように小型、軽量であることが特徴となっている。従って、従来例のシステムにおける画像ファイル装置のある部屋にＭＯ５８を可搬することによりはじめて検索及び表示が可能となるのとは異なり、殆ど任意の所で可搬型記録再生装置４により、検索及び表示することができる。
【００３８】
上記表示回路６２は例えばＬＣＤ表示部６２ａ（図６参照）とこのＬＣＤ表示部６２ａをドライブするＬＣＤドライバとで構成される。又、その外形は図６に示すように上面のほぼ中央位置にＬＣＤ表示部６２ａが設けられ、その下側寄りの位置に指示入力ＳＷ６３を形成する確認ＳＷ６３ａ，上方スクロールＳＷ６３ｂ，下方スクロールＳＷ６３ｂが設けられている。
【００３９】
次にこの実施例により内視鏡検査の際の記録動作を説明する。
Ａ．検査準備
最初に、検査に先立ち、操作者はビデオプロセッサ１６のデータ入力部３９より患者名等の検索情報を入力する。入力された検索情報は通信インターフェイス４０を介して、画像記録ドライブ装置３のＣＰＵ４５へと送信される。
【００４０】
ＣＰＵ４５により受信された検索情報は、出力回路４８を介して可搬型記録再生装置４内のＣＰＵ５７と、ＤＡＴドライブ装置５０へと送信される。検索情報を受信したＣＰＵ５７は、その検索情報をメモリ６１へと記憶する。ＤＡＴドライブ装置５０によるＤＡＴ４９への記録動作に関しては後述する。
【００４１】
Ｂ．検査
次に検査が開始され、操作者は記録しておきたい画像を見つけた時点で電子スコープ１０のレリーズＳＷ４１を押す。レリーズ信号はビデオプロセッサ１６内の制御部３７により通信インターフェース４０を介して画像記録ドライブ装置３へと送信される。画像記録ドライブ装置３内のＣＰＵ４５は受信したレリーズコマンドに応答し、原画像の記録及び縮少画像の作成と、合成動作を行う。
【００４２】
すなわち、ＣＰＵ４５はＡ／Ｄコンバータ４４、画像メモリ４６を用いて画像をデジタル記憶し、記憶した原画像を出力回路４８を介して可搬型記録再生装置４へと送信する。
【００４３】
可搬型記録再生装置４へ送信された原画像は、画像メモリ５６に１度記憶され、次にＣＰＵ５７の制御のもとにＳＣＳＩコントローラ５９，ＭＯドライバ６０を介してＭＯ５８へと記録される。
【００４４】
Ｃ．検査終了
検査が終了すると、操作者は次の検査の為の準備を行う。すなわち、上記Ａに記したように、次検査の為の患者名等の検索情報を入力する。
【００４５】
入力された検索情報はＣＰＵ４５により受信される。ＣＰＵ４５は受信した検索情報が検査中のものと異なることを確認し、以前の検査を終了する。すなわち、縮少画像記録メモリ４７に合成記憶されていた縮少画像を出力回路４８，ＤＡＴドライブ装置５０，Ｄ／Ａコンバータ５１へと出力し、ＭＯ５８，ＤＡＴ４９，光ディスク５２ａまたは５２ｂへと記録する。
【００４６】
上記検査準備から終了までの動作を図３に示す。
ａ．検査準備段階での検索情報を入力する。
ｂ．入力した検索情報をＣＰＵ４５は記憶する。
【００４７】
ｃ．レリーズコマンド受信までに検索情報が変更になった場合は更新する。  ｄ．レリーズコマンドが入力するまで上記ｂ，ｃを継続する。
ｅ．レリーズコマンドが入力したら、原画像を記録し、その原画像に対応した縮少画像を作成し、メモリ４７に一時記憶する（検査の開始となる）。
【００４８】
ｆ．検査開始後、新たに検索情報が入力されたか調べる。
ｇ．新たに入力した検索情報が、検査準備段階のものと同じか調べる。
ｈ．仮に検査準備段階と異なっていれば、検査終了とみなし、メモリ４７内の合成された縮小画像をＭＯ５８、ＤＡＴ４９、光ディスク５２ａまたは可搬型記録再生装置４へ記録し、検査を終了する。
【００４９】
ｉ．検査中にレリーズコマンドを入力したか調べる。
ｊ．レリーズコマンドを入力したら、原画像記録と縮少画像作成、合成を行う。
【００５０】
また、上記は検索情報が、変更になったことを識別して検査終了とみなしたが、検査終了の識別としては、ビデオプロセッサ１６のデータ入力部３９の検査終了キーを押すことでも良いし、ビデオプロセッサ１６の電源をＯＦＦすることでも可能である。
【００５１】
つまり、ビデオプロセッサ１６の電源をＯＦＦした場合、ＲＳ−２３２Ｃ通信信号のステータス信号もＯＦＦ（ＬＯＷ信号）となるので、そのステータス信号を画像記録ドライブ装置３のＣＰＵ４５が検知することによっても可能である。上記原画像記録と縮少画像記録作成動作の概略フローを図４に示す。
【００５２】
ａのように電子スコープ１０の操作部８のレリーズＳＷ４１のレリーズ操作に連動して、内視鏡画像データが画像メモリ４６へ記録される。
次に、ｂのようにＣＰＵ４５は画像メモリ４６内の画像データを縮小処理し、メモリ４７に記憶する。次に、ｃのように画像メモリ４６内の画像データを第１アナログ光ディスク５２ａ、可搬型記録再生装置４のＭＯ５８、ＤＡＴ４９に記録する。
【００５３】
その後、ｄのように検査は終了か否かを判断し、終了でない場合にはａに戻り、終了と見なされる場合にはｅに示すようにメモリ４７に蓄積記憶された縮小画像を例えば４枚分で合成し、第１アナログ光ディスク５２ａ、可搬型記録再生装置４のＭＯ５８、ＤＡＴ４９に記録して、この原画像記録と縮少画像記録動作を終了する。
【００５４】
記録される画像の種類を図５に示す。図５（ａ）に示すように原画像Ａ，Ｂ，Ｃ，Ｄは１枚づつで記録されるのに対し、図５（ｂ）に示すように４枚分の縮小画像が合成され、この合成画像単位で記録される。
【００５５】
次に可搬型記録再生装置４からの検索動作について記述する。
（１）操作者は、可搬型記録再生装置４内に記録されている情報を知りたい場合に、可搬型記録再生装置４の電源ＳＷ（図示せず）をＯＮする。
【００５６】
（２）ＣＰＵ５７はメモリ６１内に記憶されている検索情報（例えば患者名）を、操作者にわかりやすいよう並び換え（例えばアイウエオ順）、表示回路６２を用いて図６（ａ）のようにＬＣＤ表示部６２ａに表示する。
【００５７】
（３）操作者は、表示画面上の１番上段に所望の検索情報が表示されていたら、確認ＳＷ６３ａを押す。もし表示されていなければ、表示画面上方スクロールＳＷ６３ｂまたは下方スクロール用ＳＷ６３ｃを押し、表示される検索情報をスクロール操作し所望の検索情報を捜し出す。
【００５８】
（４）上記操作により、確認ＳＷ６３ａが押された場合、ＣＰＵはその検索情報に対応した検査画像の縮小画像をＳＣＳＩエコントローラ５９、ＭＯドライバ６０を介してＭＯ５８から読み出し、図６（ｂ）のようにＬＣＤ表示部６２ａに表示する。
【００５９】
図６（ｂ）のように縮小画像によるインデックス画像から原画像を検索して、その画像を表示する動作は図７のようになる。
ａのようにＭＯ５８から縮小画像を読み出し、ＬＣＤ表示部６２ａで表示する。
【００６０】
（５）操作者は、図７のｂのように表示された縮少画像の中で、原画で再生したい縮小画像をＳＷ６３ａ，６３ｂ，６３ｃを操作して、その縮小画像を選択する。
この選択は、ＳＷ６３ｂ，６３ｃを用いて図６（ｂ）に示すマーカ６４を縮少画像番号順に移動（ＳＷ６３ｂで昇順、ＳＷ６３ｂで降順）し、確認ＳＷ６３ａで確認指示することで行う。
【００６１】
（６）図７のｂの処理の後、ｃのようにＣＰＵ５７は指示された縮少画像のみを表示し、残りの縮少画像は消去する。
（７）次に表示された縮少画像がＯＫであれば、図７のｄのように再び確認ＳＷ６３ａを操作者は押す。仮にＮＧであった時は、再びスクロールＳＷ６３ｂ，６３ｃのいずれかを押す。
【００６２】
（８）図７のｅのように確認指示された縮少画像に対応した原画像を、ＣＰＵ５７はＭＯ５８から読みだし、ＬＣＤ表示部６２ａへと表示する。
以下の縮少画像から原画像を選択表示するまでの表示画像の流れを図８に簡単に記した。
【００６３】
次に、ＤＡＴ４９への記録動作について詳述する。この実施例におけるＤＡＴ４９への記録動作は図９（ａ），（ｂ）に示す従来のＤＡＴへの記録とは異なる。まず、図９（ａ），（ｂ）に示す従来のＤＡＴへの記録を説明する。
【００６４】
（１）図９（ａ）の従来方式
１．検査開始前に検索情報が入力されると、現在ヘッドがあるテープ位置に検索情報を記録する。
２．レリーズコマンドに連動して画像データを順次記録する。
【００６５】
上記のような動作でＤＡＴに記録した場合、検索するにはそれまでに記録された検索情報を全て読み出す必要があり、テープ走行の為に大変時間がかかった。
【００６６】
（２）図９（ｂ）の従来方式
上記不具合を解消する為に、記録時に検索情報は全て１か所（例えばテープの開始位置）に記録する方法が考案された。
【００６７】
しかしこの場合、例えば現在検査ｍの画像データを記録終了し、検査ｎの検索情報を記録する段階で、一旦テープヘッドをテープ開始位置へ移動する必要がある。すなわち検索時はテープ開始位置の検索情報を検索し、見つけたらその情報に従ってテープヘッドをその画像位置へ移動すれば良いので検索スピードを速くできる。
ただし、記録時にいちいちテープヘッドを開始位置へ移動し、また戻す必要があるので時間がかかる。
【００６８】
（３）図９（ｃ）の本方式
この方式では、上記（ａ）（ｂ）の欠点を解消するものである。
【００６９】
この方式での記録動作を図１０に示す。
図１０のａに示すようにビデオプロセッサ１６のデータ入力部３９より患者名等の検索データを入力する。図１０のｂに示すように入力された検索データを今までの検査の検索データと共に、ＤＡＴ４９に記録する。
【００７０】
検査開始前に検索情報が入力されると、ＣＰＵ４５は記憶していたそれまでに実施された検査の検索情報に今回の検索情報を追加して現在のヘッド位置に記録する。
【００７１】
図１０のｃに示すように電子スコープ１０の操作部８のレリーズＳＷ４１のレリーズ操作に連動して、画像をＤＡＴ４９に順次記録していく。
その後、図１０のｄにしめすように検査が終了したか否かを調べ、検査終了でない場合にはｃに戻り、検査終了の場合にはこのＤＡＴ４９への記録動作を終了する。
【００７２】
次に検索動作を説明する。
上記動作で記録されたＤＡＴ４９を、図１１の画像再生＆保存装置６９を用いて検索し、再生表示する場合について述べる。
【００７３】
この画像再生＆保存装置６９は以下のような構成である。
可逆型記録再生装置４が挿着され、そのデータを受信する入出力回路７０と、入力回路７０を介して入力した画像を一旦記憶する画像メモリ７１と、画像メモリ７１に記憶された画像をＤ／Ａ変換するＤ／Ａコンパータ７２と、そのアナログ信号を表示するモニタ７３と、全体を制御するＣＰＵ７４と、検索情報を入力するキーボード７５と、そのキーボード７５のインターフェース回路７６と、可搬型記録再生装置４内の画像データのうち選択された画像を長期保存する為の大容量記録装置７７と、ＤＡＴ４９への記録及びＤＡＴ４９から再生を行うＤＡＴドライブ装置７８と、警告を行う警告手段７９とより構成される。
【００７４】
図１２のａに示すようにキーボード７５より再生表示したい画像の検索情報（例えば患者名）を入力する。次にｂに示すように入力された検索情報が、もよりの検索情報内に存在するか調べる。つまり、入力された検索データをもとに、現在のヘッド位置に１番近い領域に記録されている検索データを検索する。
【００７５】
そして、ｃのように検索データを見つけたか否かを判断し、検索情報が存在しなかった場合は、ｄに示すようにヘッドを右に移動し、次の検索データを検索する。検索データが存在した場合には、ｅに示すように見つけた検索データに対応した画像をＤＡＴドライブ装置７８を用いてＤＡＴ４９より読み出し、Ｄ／Ａコンバータ７２でアナログ信号に変換し、モニタ７３で表示する。
【００７６】
上記のような動作としたので、記録時には図９（ｂ）のようにいちいちテープヘッドをテープ開始位置へ移動しなくて良いので記録時間が短い。また、検索時は図９（ａ）のようにテープの全域にわたり記録されている検索情報を全て拾い出さずに見つけることも可能となるので、検索時間も短くて良い。
【００７７】
次に、光ディスク５２ａ或いは５２ｂへの記録動作について詳述する。特に、現在一方の光ディスク５２ａへ記録中であり、その記録可能を残り枚数（空き領域）が少なくなった場合の動作について図１３及び図１４を用いて説明する。
【００７８】
検査ｍの画像が光ディスク５２ａに記録された状態（図１４（ａ）に示すように、例えば検査ｍの画像をａ枚記録し、ｂ枚に相当する空き領域）において、図１３のａのように検査ｎが開始したとする。
【００７９】
そして電子スコープ１０のレリーズＳＷ４１の操作に連動して図１３のｂに示すように、画像を第１アナログ光ディスクドライブ装置５３ａを介して光ディスク５２ａの空き領域へ記録する。次にｃに示すように光ディスク５２ａに空き領域が残っているか調べる。
【００８０】
空き領域が残っている場合には、ｄに示すように検査は終了したか否かの判断を行い、終了の場合にはこの光ディスク５２ａへの書き込み動作を終了し、終了でない場合にはｂに戻る。
【００８１】
一方、空き領域が残っていない場合には、つまり図１４（ｂ）のようになる。この場合には、図１３のｅに示すように画像を第２光ディスクドライブ装置５３ｂを介して、光ディスク５２ｂへ引き続き記録する。但し、この記録の際、光ディスク５２ａへ記録していた画像枚数（ｂ枚）分の空き領域を設けて記録を開始する。つまり、光ディスク５２ｂへはｂ枚の空き領域を設けて画像を記録する。
【００８２】
次にｆに示すように検査ｎが終了したか調べる。検査が終了していない場合にはｅに戻り、検査が終了した場合には、ｇに示すコピー動作を行う。
つまり、光ディスク５２ａに記録されていた検査ｎの画像（ｂ枚）を光ディスク５２ｂに予め設けておいた空き領域へコピーする。この様子を図１４（ｃ）に示す。
【００８３】
このような動作をすることにより、１検査の画像が２枚の光ディスクにまたがって記録されることが無くなったので、例えば光ディスク５２ｂをアナログ光ディスクドライブ装置５３ｂへ挿着するだけで検査ｎの画像が全て再生表示可能となる。
【００８４】
次に画像再生＆保存装置６９の動作を以下に説明する。
上記画像再生＆保存装置６９を用いて画像を可搬型記録再生装置４から大容量記録装置７７へコピーするときの動作について、図１５を参照して説明する。
【００８５】
（１）検査室で検査情報及び画像が記録された可搬型記録再生装置４は、集中管理メインルーム内に設置された画像再生＆保存装置６９に挿着される。
【００８６】
（２）操作者は、キーボード７５を用いて検索情報（例えば見たい検索画像の患者名等）を入力する。
（３）入力された検索情報をＣＰＵ７４は入出力回路７０を介して可搬型記録再生装置４内のＣＰＵ５７へ送信する。
【００８７】
（４）可搬型記録再生装置４内のＣＰＵ５７はメモリ３１内の検索情報をもとに検索し、合致した検査の縮少画像をＭＯ５８より読み出し、画像再生＆保存装置６９へと送信する。
（５）図１５のａに示すように可搬型記録再生装置４から画像再生＆保存装置６９へと送信された縮少画像の画像データは、入出力回路７０を介して画像メモリ７１内に記憶され、Ｄ／Ａコンバータ７２を介してモニタ７３へ表示される。
（６）図１５のｂに示すように操作者は大容量記録装置７７へコピーし、保管したい画像をキーボード７５によって指示する。
【００８８】
（７）キーボード７５によって指示された指示信号は画像再生＆保存装置６９のＣＰＵ７４から可搬型記録再生装置４側のＣＰＵ５７に転送されることにより、図１５のｃに示すように指示された縮少画像に対応する原画像は可搬型記録再生装置４から画像再生＆保存装置６９側に転送され、大容量記録装置７７へコピーされる。
【００８９】
（８）大容量記録装置７７へのコピーが行われると、図１５のｄに示すように可搬型記録再生装置４内のコピー処理の終了した画像に対してコピーフラグをＯＮにした後、この可搬型記録再生装置４から大容量記録装置７７へのコピーする動作を終了する。
以上の操作により可搬型記録再生装置４内の所望の画像を大容量記録装置７７へとコピーできる。
【００９０】
さらに、コピーに際して、装置可搬型記録再生装置４内のコピー処理の終了した画像に対しては、図１６のように画像ヘッダ部に設けられたコピーフラグをＯＮする。従って後日、装置可搬型記録再生装置４内の画像を消去する場合には、このコピーフラグのＯＮ／ＯＦＦをチェックすることが可能となり、仮にコピーの終了していない画像を消去する場合には警告手段７９（例えばブザー）を用いて操作者に大容量記録装置７７へのコピーが終了していないことを告げることが可能となる。
【００９１】
操作者は、警告手段７９の警告にしたがって再度消去のＯＮ／ＮＧを判断し、ＯＫであれば消去処理を実行する。
なお、上述した実施例において、可搬型記録再生装置４と同様にＭＯ５８に対して据置タイプでも記録及び再生できる手段を設けても良い。また、可搬型記録再生装置４はＭＯ５８以外の可搬型記録媒体に対して検索及び表示できるものでも良く、例えば小型のＤＡＴ等でも良い。
【００９２】
【発明の効果】
本発明は、可搬型記録装置に設けられた第２の記録手段に検索情報を記録する検索情報記録ステップと入力画像を記録する画像記録ステップとを有し、原画像表示ステップで前記検索情報に対応する前記原画像を読み出して表示することにより、可搬型記録装置に記録されている画像情報を容易に確認することが可能となった。
【図面の簡単な説明】
【図１】１実施例の内視鏡画像ファイルシステムの全体構成を示すブロック図。
【図２】内視鏡装置の構成図。
【図３】内視鏡検査の場合における検査準備から検査終了までの動作内容の概略を示すフローチャート図。
【図４】内視鏡検査の場合におけるレリーズ操作により、原画像記録と縮少画像記録作成動作の概略を示すフローチャート図。
【図５】記録される画像の種類を示す説明図。
【図６】可搬型記録再生装置の外形を示す斜視図。
【図７】縮小画像によるインデックス画像から原画像を検索して、その画像を表示する動作を示すフローチャート図。
【図８】縮少画像から原画像を選択表示するまでの表示画像の流れを示す説明図。
【図９】ＤＡＴへの記録内容を示す説明図。
【図１０】ＤＡＴへの記録動作を示すフローチャート図。
【図１１】画像再生＆保存装置の構成を示すブロック図。
【図１２】ＤＡＴを画像再生＆保存装置を用いて検索し、再生表示する場合の動作を示すフローチャート図。
【図１３】一方の光ディスクの空き領域以上の画像情報を記録する場合の動作を示すフローチャート図。
【図１４】一方の光ディスクの空き領域以上の画像情報を記録する場合の動作を示す説明図。
【図１５】可搬型記録再生装置から大容量記録装置へコピーするときの動作を示すフローチャート図。
【図１６】可搬型記録再生装置内の画像記録フォーマットを示す説明図。
【図１７】従来例における内視鏡画像ファイルシステムの構成図。
【図１８】図１７におけるデジタル画像ファイル装置の構成を示すブロック図。
【符号の説明】
１…内視鏡画像ファイルシステム
２…内視鏡装置
３…画像記録ドライブ装置
４…可搬型記録再生装置
７…挿入部
８…操作部
１０…電子内視鏡（電子スコープ）
１２…光源装置
１６…ビデオプロセッサ
１８…モニタ
３７…制御部
３９…データ入力部
４０…通信インターフェース
４１…レリーズＳＷ
４５、５７…ＣＰＵ
４６、５６…画像メモリ
４９…ＤＡＴ
５２ａ，５２ｂ…光ディスク
５８…ＭＯ
６２…表示回路
６３…指示入力ＳＷ
【図１】
0003725563.tif 000002
【図２】
0003725563.tif 000003
【図３】
0003725563.tif 000004
【図４】
0003725563.tif 000005
【図５】
0003725563.tif 000006
【図６】
0003725563.tif 000007
【図７】
0003725563.tif 000008
【図８】
0003725563.tif 000009
【図９】
0003725563.tif 000010
【図１０】
0003725563.tif 000011
【図１１】
0003725563.tif 000012
【図１２】
0003725563.tif 000013
【図１３】
0003725563.tif 000014
【図１４】
0003725563.tif 000015
【図１５】
0003725563.tif 000016
【図１６】
0003725563.tif 000017
【図１７】
0003725563.tif 000018
【図１８】
0003725563.tif 000019